(57)【要約】  本発明は、２段式精密ガイド（４５）、および低高上顎骨にショート歯科インプラント機能を備えた三脚を固定するための方法に関する。このガイドは、オッセオインテグレーションされた３脚が低高上顎骨に２つの簡単なステップで配置されることを可能にする。ガイド（４５）は、固定ガイド（１）とドリルガイド（２５）の２つの要素で構成されている。使用の最初の段階では、三脚の本体（２Ａ）に取り付けられた固定ガイド（１）を使用して、２段式ガイド（４５）が、５つの穿孔を有する特徴を揺する三脚の本体（２Ａ）を骨に配置することを可能にする。使用の第２段階では、三脚の本体（２Ａ）が骨に固定されると、２段式ガイド（４５）を、上記の２つの要素、つまり固定ガイド（１）と三脚の本体（２Ａ）にカップリングすることにより、ドリルガイド（２５）を使用して骨を安全に処理できる。穴が形成されたら、２段式ガイド（４５）の２つの部分を取り外して、３本の同じ足を持つ本発明の三脚の本体（２Ａ）で骨に固定する。骨に配置された足により、必要に応じて三脚に歯科補綴物をすぐに配置できる。したがって、三脚はショート歯科インプラントとして機能する。
2020505146.tif 000002
【特許請求の範囲】
【請求項１】
固定ガイド（１）とドリルガイド（２５）の２つの要素で構成され、ショート歯科インプラント機能を備えた三脚を低位上顎骨に固定するための２段式精密ガイド（４５）であり、２段式精密ガイド（４５）は以下の構成を有する：
前記固定ガイド（１）は、シャフトを有さない固体のカップ形状のブロックであり、その足（１１）は、多面体であり、その杯部（６）は、上向きに開いた多面体の空洞（８）を有する円筒形である。
固定ガイド（１）の足（１１）には５つの穴がある。これらの穴のうちの３つ（１３Ａ、１３Ｂ、１３Ｃ）は傾斜した相互に同一の円筒形であり、それらの中心軸は固定ガイド（１）の中心軸と当該物体上の同じ点で交差する。これらの穴（１３Ａ、１３Ｂ、１３Ｃ）は互いに接触せず、足（１１）を完全に横断する。固定ガイド（１）の足（１１）の上底にあるこれらの穴（１３Ａ、１３Ｂ、１３Ｃ）の入口の中心は、正三角形を描く。固定ガイド（１）の足（１１）の下底にあるこれらの穴（１３Ａ、１３Ｂ、１３Ｃ）の出口の中心は、より大きなサイズの正三角形を描く。これらの穴の２つの間に、それらに触れることなく、固定ガイド（１）の中心軸に平行な円筒形の第４の穴（１４）がある。この第４の穴（１４）は、この穴の中心軸に垂直な環状の縁（１５）によって内側にテーパーしており、それにより、新しい円筒形のより小径の穴になる。固定ガイド（１）の足（１１）の上底にある第４の穴（１４）の入口は、固定ガイド（１）の足（１１）の下底にあるその出口よりも広い。これらの４つの穴は、固定ガイド（１）の足（１１）の上底の中心から固定ガイド（１）を完全に横断することなく下に向かって開けられた第５の多面体の穴（１６）に接触することなくこの穴（１６）を取り囲む。
この足の上方の周囲には、固定ガイド（１）の足（１１）の上方外側を囲む円筒状のリングである固定ガイド（１）の杯部（６）がある。それは、固定ガイド（１）の足（１１）の上底によって下部が区切られた多面体空洞（８）を含んでいる。この杯部（６）の外壁に、固定ガイド（１）の中心軸に平行な３本のレール（７Ａ、７Ｂ、７Ｃ）取り付けられている。これらはそれぞれ、前記３つの傾斜穴（１３Ａ、１３Ｂ、１３Ｃ）の３つの矢状面の１つに位置する。
ドリルガイド（２５）は、ドリルガイド（２５）が配置される固定ガイド（１）の多面体空洞（８）と同じ多面体形状を備えた多面体スラブである。このドリルガイド（２５）には、その下底の中心から下向きに突き出た多面体ピボット（２９）を有する。このピボット（２９）は、固定ガイド（１）の第５の多面体穴（１６）に対応する。ドリルガイドの上底の上部の隅には、多形の突起またはピボット（２６）がある。このドリルガイド（２５）は、相互に同一の円筒形の３つの傾斜穴（２７Ａ、２７Ｂ、２７Ｃ）を有する。その中心軸は、ドリルガイド（２５）の中心軸と当該物体上の同じ点で交差する。これらの穴は互いに接触せず、ガイド（２５）を完全に貫通する。ドリルガイド（２５）の上底にあるこれらの穴の入口の中心は正三角形を描き、ドリルガイド（２５）の下底にあるこれらの穴の出口の中心は、より大きな正三角形を描く。これらの穴（２７Ａ、２７Ｂ、２７Ｃ）の幅は、固定ガイド（１）の傾斜穴（１３Ａ、１３Ｂ、１３Ｃ）の幅よりも小さい。ドリルガイド（２５）のこれら３つの傾斜穴の出口は、固定ガイド（１）の３つの傾斜穴の入口の上方への連続部として機能する。これらのドリルガイド（２５）の３つの傾斜穴の２つの間に、それらに触れることなく、ドリルガイド（２５）の中心軸に平行にドリルガイド（２５）を完全に横断する第４の円筒穴（２８）がある。この穴（２８）は、その中心軸に垂直な環状の縁（３０）によって内側でテーパーしている。この縁（３０）は、穴（２８）を新しいより小径の円筒形の穴にする。ドリルガイド（２５）の上底にある穴（２８）の入口は、このガイド（２５）の下底にある出口よりも広い。この出口は、固定ガイド（１）の第４の穴（１４）の入口と同じ幅を有する。
【請求項２】
前記三脚が中央の本体（２Ａ）を有する、請求項１に記載のショート歯科インプラント機能を備えた三脚を低位上顎骨に固定するための２段式精密ガイド（４５）であり、２段式精密ガイド（４５）は以下の構成を有する：
前記本体は、幅広床グラスの形状の固体の円柱状の物体である。この本体（２Ａ）は、円筒形の壁（９Ａ）に囲まれ、円筒形の基盤（１０Ａ）に重ねられた上向きに開いた多面体の空洞（１２Ａ）を含む。外側では、壁（９Ａ）は滑らかで、この本体（２Ａ）の床（１０Ａ）は粗く、外側螺旋状ねじ山を有する。内部では、この本体（２Ａ）の基盤（１０Ａ）は、本体（２Ａ）の基盤（１０Ａ）の上底でもある空洞（１２Ａ）の底部から始まる５つの穿孔が穿孔されている。これらの穿孔のうち３つ（１８ＡＡ、１８ＢＡ、および１８ＣＡ）は傾斜した相互に同一の円筒形であり、それらの中心軸は本体（２Ａ）の中心軸と当該物体の上の同じ点で交差する。これらの穿孔は互いに接触しない。本体（２Ａ）の多面体空洞（１２Ａ）の底部にあるこれらの穿孔（１８ＡＡ、１８ＢＡ、１８ＣＡ）の入口の中心は、正三角形を描く。これらの穿孔（１８ＡＡ、１８ＢＡ、および１８ＣＡ）の出口の中心は、本体（２Ａ）の基盤（１０Ａ）の側面または下底にあり、前述のものよりも大きい正三角形を描く。これらの３つの穿孔（１８ＡＡ、１８ＢＡ、および１８ＣＡ）は、中心軸に垂直な環状の縁（２０）で分離された上側（１９Ａ）が下側（１９Ｂ）よりも広い２つの円筒状空間（１９Ａおよび１９Ｂ）で構成されている。狭い下側のスペース（１９Ｂ）は、プロペラねじ山を有する。本体（２Ａ）のこれらの傾斜穿孔の２つの間に、それらに触れることなく、本体の中心軸（２Ａ）に平行で、床（１０Ａ）を完全には通過しない第４の円筒形の穿孔（２１Ａ）がある。この本体（２Ａ）の基盤（１０Ａ）の第４の穿孔（２１Ａ）は、内部螺旋状ねじ山を含む壁を有する。これらの４つの穿孔（１８ＡＡ、１８ＢＡ、１８ＣＡ、および２１Ａ）は、本体（２Ａ）の基盤（１０Ａ）の中心にある床（１０Ａ）を横切らない内部螺旋状ねじ山を有する壁によって囲まれた第５の円筒状穿孔（２２Ａ）に触れずにこれを取り囲む。
【請求項３】
前記三脚が中央の代替本体（２Ｂ）を有する、請求項１に記載のショート歯科インプラント機能を備えた三脚を低位上顎骨に固定するための２段式精密ガイド（４５）であり、２段式精密ガイド（４５）は以下の構成を有する：
前記代替本体は、幅広床グラスの形状の固体の円柱状の物体である。この代替本体（２Ｂ）は、円筒形の壁（９Ｂ）に囲まれ、円筒形の基盤（１０Ｂ）に重ねられた上向きに開いた多面体の空洞（１２Ｂ）を含む。外側では、壁（９Ｂ）は滑らかで、この代替本体（２Ｂ）の床（１０Ｂ）は粗く、外側螺旋状ねじ山を有する。内部では、この代替本体（２Ｂ）の基盤（１０Ｂ）は、代替本体（２Ｂ）の基盤（１０Ｂ）の上底でもある空洞（１２Ｂ）の底部から始まる５つの穿孔が穿孔されている。これらの穿孔のうち３つ（１８ＡＢ、１８ＢＢ）は傾斜した相互に同一の円筒形であり、それらの中心軸は代替本体（２Ｂ）の中心軸と当該物体の上の同じ点で交差する。これらの穿孔は互いに接触しない。代替本体（２Ｂ）の多面体空洞（１２Ｂ）の底部にあるこれらの穿孔（１８ＡＢ、１８ＢＢ）の入口の中心は、正三角形を描く。これらの穿孔（１８ＡＢ、１８ＢＢ）の出口の中心は、代替本体（２Ｂ）の基盤（１０Ｂ）の側面または下底にあり、前述のものよりも大きい正三角形を描く。これらの３つの穿孔（１８ＡＢ、１８ＢＢ）は、入口から始まり、互いに接触せず、穿孔の中心軸に平行な溝（２４）を含む滑らかな壁を有する単一の円筒状空間（２３）で構成されている。これらの溝（２４）は、前記穿孔の全体をカバーしていない。
【請求項４】
以下のステップを含む、請求項１および２に記載の２段式ガイド（４５）の使用方法。
−まず、固定ガイド（１）と三脚の本体（２Ａ）が結合される。ガイド（１）の足（１１）は本体（２Ａ）の空洞（１２Ａ）内にあり、ガイド（１）の杯部（６）の下底は三脚の本体（２Ａ）の壁（９Ａ）の上底の上にある。
−２番目に、固定ガイド（１）と三脚の本体（２Ａ）が単純な円筒形のヘッド（４）のスクリュー（３）で固定される。このヘッド（４）は、多面体の空洞（１７）と、らせん状の外部ねじ山を有する細い円筒状のステム（５）を有する。スクリュー（３）は、固定ガイド（１）の第４の穴（１４）と三脚の本体（２Ａ）の第４の穿孔（２１Ａ）の内部に挿入される。
−３番目に、三脚の本体（２Ａ）が骨に挿入され、固定ガイド（１）の杯部（６）に配置された３本のレール（７Ａ、７Ｂ、７Ｃ）によって正確に位置決めされる。
−４番目に、単純な円筒形のヘッド（４）のスクリュー（３）が取り外される。
−５番目に、ドリルガイド（２５）、固定ガイド（１）、および三脚の本体（２Ａ）がスクリュー（３１）で固定される。スクリュー（３１）は、上側の幅が広い２つの円筒形の部分が重ね合わされた長い段付きヘッド（３２）と、外部プロペラねじ山を備える円筒形の細いステム（３３）を有する。スクリュー（３１）は、ドリルガイド（２５）の第４の穴（２８）、固定ガイド（１）の第４の穴（１４）、および三脚の本体（２Ａ）の第４の穴（２１Ａ）に挿入される。このネジは、そのヘッド（３２）に多面体の空洞（３４）を有する。
−６番面に、ドリルガイド（２５）の傾斜した穴（２７Ａ、２７Ｂ、２７Ｃ）に従って適切な器具で骨が穿孔される。
−７番目に、長い段付きヘッド（３２）のスクリュー（３１）が取り外される。
−８番目に、２段式ガイド（４５）が取り外される。
−９番目に、三脚の３本の脚（４１）が導入される。これらの脚（４１）は、多面体の空洞（４３）を中央に備えた円筒形の頭部（４２）と、下方の円筒形で幅が狭いステム（４４）を備える。
【請求項５】
以下のステップを含む、請求項１および３に記載の２段式ガイド（４５）の使用方法。
−まず、固定ガイド（１）と三脚の本体（２Ｂ）が結合される。ガイド（１）の足（１１）は本体（２Ｂ）の空洞（１２Ｂ）内にあり、ガイド（１）の杯部（６）の下底は三脚の本体（２Ｂ）の壁（９Ｂ）の上底の上にある。
−２番目に、固定ガイド（１）と三脚の本体（２Ｂ）が単純な円筒形のヘッド（４）のスクリュー（３）で固定される。このヘッド（４）は、多面体の空洞（１７）と、らせん状の外部ねじ山を有する細い円筒状のステム（５）を有する。スクリュー（３）は、固定ガイド（１）の第４の穴（１４）と三脚の本体（２Ｂ）の第４の穿孔（２１Ｂ）の内部に挿入される。
−３番目に、三脚の本体（２Ｂ）が骨に挿入され、固定ガイド（１）の杯部（６）に配置された３本のレール（７Ｂ、７Ｂ、７Ｃ）によって正確に位置決めされる。
−４番目に、単純な円筒形のヘッド（４）のスクリュー（３）が取り外される。
−５番目に、ドリルガイド（２５）、固定ガイド（１）、および三脚の本体（２Ｂ）がスクリュー（３１）で固定される。スクリュー（３１）は、上側の幅が広い２つの円筒形の部分が重ね合わされた長い段付きヘッド（３２）と、外部プロペラねじ山を備える円筒形の細いステム（３３）を有する。スクリュー（３１）は、ドリルガイド（２５）の第４の穴（２８）、固定ガイド（１）の第４の穴（１４）、および三脚の本体（２Ｂ）の第４の穴（２１Ｂ）に挿入される。このネジは、そのヘッド（３２）に多面体の空洞（３４）を有する。
−６番面に、ドリルガイド（２５）の傾斜した穴（２７Ｂ、２７Ｂ、２７Ｃ）に従って適切な器具で骨が穿孔される。
−７番目に、長い段付きヘッド（３２）のスクリュー（３１）が取り外される。
−８番目に、２段式ガイド（４５）が取り外される。
−９番目に、三脚の３本の脚（３５）が導入される。これらの脚（３５）は、胴部（３８）と同じ幅のヘッド（３６）を有する。これらのヘッドは、それらの中心軸に平行なレール（３９）と、これらの脚（３５）の中心軸に垂直で多面体の穿孔（３７）に接続する多形の穿孔（４０）を有する。
【発明の詳細な説明】
【技術分野】
【０００１】
本発明は、歯科インプラント分野に属する。
本発明の目的は、顎骨の幅が広いが低い領域において副鼻腔挙上や上顎再建のブロックなどの再生手術を回避して、人工補綴物の負荷を支えることができ、三脚を固定する便利で迅速かつ安全な方法を提供する、ショート歯科インプラント機能を備えた三脚を低高上顎骨（又は、低位上顎骨／low-height maxillary bone）に固定するための二段階精密ガイドおよび方法である。
【背景技術】
【０００２】
ショート歯科インプラントは、比較的最近使用されているインプラントである。これらは、通常5MMの幅より大きく、通常5MMまで短い歯科インプラントである。これらのインプラントは、骨の短く幅広い領域を対象としている。これは、許容可能なオッセオインテグレーション（osseointegration）を提供するものの、人工装具を負荷すると非常に予測不可能であり、その使用が大幅に削減される。Straumannの短いLoxim（登録商標）を有するRoxolid（登録商標）SLActive（登録商標）インプラントとIDSのAnyridge（登録商標）のショートインプラントは、既存のショートインプラントの例である。マイクロインプラントは、幅が1.3MMから2MM、長さが約10MMの非常に薄いインプラントで、最大300gの引張力しかサポートしないため、歯科矯正治療専用である。3MのUnitek（登録商標）インプラントは、既存のマイクロインプラントの例である。
【０００３】
中央歯科インプラントとそれを通過する１つ以上のより微細なインプラントを組み合わせようとする多くの発明、最初のインプラントにより安定性を提供しようとする発明があるが、それらのどれも具体的、簡単、実用的な解決策を提供せず、それらの多くは実行することが不可能であり、唇につけることも不可能であるか、単に非現実的である。さらに、それらの多くは、設計にセメント固定または補綴固定のための柱を持っているため、普遍的な補綴学的解決策を提供しない。これらの特許のいくつかを以下に引用する。
【０００４】
−著者TF Kiernan、Jrによる1958年10月28日公開の特許US2857670Aと、著者SAPIAN SLによる1999年4月6日公開のUS5890902Aの両方の特許は、著者が、インプラントの軸に垂直なピボットによって歯科インプラントに安定性を提供しようとしている点で類似している。しかし、このインプラントは、骨にかなりの損傷を与え、問題がある場合は除去するのが非常に難しいため、実行するのが非常に難しく、臨床的観点から実行不可能である。
【０００５】
−1971年5月25日発行の著者IRVING J STEVENSおよびJERRY ALEXANDERによる特許US3579831A。ここで著者は、２本の細い横棒によって歯科インプラントを安定化しようとしているが、臨床的および実用的な感覚に欠ける。
【０００６】
−1976年9月21日発行の著者LENCZYCKI J JのUS3981079（A）、1995年12月1日の公開日の著者BOMPARDおよびMAUDUECH EのFR2720264A1。1996年8月6日の発行日の著者KADAR AおよびMARGULIES J YのUS5542847A。公開日は2000年9月15日の著者HAAS ROBERT DRおよびWATZEK GEORG DRによるATA1212000、 2001年2月9日発行のBOMPARD BRUNO JACQUES HUBERTおよびBOMPARD ELISABETH CATHERINE MAによるFR2797171A1。2002年3月14日発行の会社ADVANCED DENTAL ENG LTDのUS2002031747A1、EP1330207A2、公開日は2004年6月11日の著者HOFMANN BによるFR2848096A1、出願日2014年12月19日の著者DADAKARIMおよびLOUIS JOELによるFR3006883（A1）のすべての特許は、インプラントをマイクロインプラントと垂直に交差させ、それらの多くに技術的および臨床的使用ソリューションを提供することにより、インプラントをブロックおよび固定しようとしている。これらのデバイスはすべて、臨床的に実行不可能ですが興味深い。ただし、本願でクレームされる特許には対応しない。
【０００７】
−2011年1月4日発行の著者SEVRAIN LIONEL Cの特許KR20110000660Aは、臨床応用のための実用的なソリューションを提供しようとしているが、このソリューションは、歯科インプラントが侵入してはならない皮質骨領域及び生体空間にマイクロインプラントを導入するため、非常に複雑で臨床的に実行不可能である。
【０００８】
−2015年5月14日発行のBIEDERMANN TECHNOLOGIES GMBH＆CO社の特許US2015134016A1は、ここで主張するもの以外の目的を持っているが、中央のピボットの周りにスティックを挿入してこれらを骨の中に残し、骨再生手術後に埋め込むことで骨に三脚を適用しようとしているが、これはすべて実用的なガイドを通じて行いる。この設計のガイドには、補綴負荷をサポートするのに役に立たないマイクロピンやつまようじを挿入する以外、インプラントのための示された精度を有さず、接続も適用できない。
【０００９】
−2001年11月1日公開の著者HERNANDEZ CABRERA J Mの特許ES2160498（A1）は、独創的ではあるが製造および臨床応用の観点からは機能しない。
【００１０】
−2009年4月9日公開のMEDILOCK MEDICAL SOLUTIONS LTD会社の特許WO2009044395は、ボルトを別のボルトで骨内にブロックしようとするものであるが、非常に一般的な説明があるが実用的な解決策がなく、口腔インプラント学の分野でもない。
【００１１】
−1996年10月15日公開の著者SHAMPANIER Aの特許US5564925は、非常に創造的で興味深く、ここで主張する特許と同じ目的を持つが、このデザインは適切な機能を提供しないため、補綴咬合荷重をサポートするための安定性を提供せず、アプリケーションの技術的ソリューションを提供せず、普遍的または実行可能な補綴ソリューションを有さないため、あらゆる点で技術的に実行不可能である。
【００１２】
−1976年5月11日公開の著者SNEER Mの特許US3955280特許は非常に独創的であるが、独自の補綴ソリューションでは技術的に実行不可能であり、普遍的ではない。
【００１３】
−2016年6月5日公開の著者KOSTAKIS Gの特許EP3075346は、実用的で興味深い解決策を提供するが、側方マイクロインプラントの挿入は、いかなる状況下で使用できない空間である生物学的空間と皮質骨で行われるため、技術的に実行不可能である。
【００１４】
−1999年11月16日公開の著者HUANG B Kの特許US5984681は、説明された内容において技術的に実行不能であり、臨床的な解決策や方法論を提供することなく、外部接続インプラントへのマイクロピンの挿入を大雑把に示している。
【００１５】
−2011年1月19日に公開された同じ著者による特許CN101947139は、ユニークで普遍的でない接続を備えた、シンプルではあるが非常に不安定なインプラントモデルを示している。
-2016年3月10日の出願日をもつ私の特許ES1153433および2016年12月18日の出願日をもつ私の実用新案U201631447は、ここでクレームされた特許の不完全で不正確な変形形態であり、この特許は、以下に説明されるように、あらゆる意味で装置の技術的実現を完成させ、臨床使用を最大限に簡素化した点で独自性を有している。
【発明の開示】
【発明が解決しようとする課題】
【００１６】
上記の欠陥を修正するために、本発明は、確立された技術基準を尊重し、非常に独創的で、現実的で、非常に用途が広く、人間工学に基づいた簡単な発明を提案する。本発明は、低高上顎骨にショート歯科インプラント機能を備えた三脚を固定するための２段階の精密ガイドおよび方法であり、それを実現し快適に使用するための２つの不可分で不可欠な要素である固定ガイドとドリルガイドで構成されている。これらの要素は、デバイスが適切に機能するためのジオメトリと正確な測定値で設計する必要がある。この２段式の精密ガイドにより、中央の本体と３本の脚で構成される三脚を固定でき、その名前が示すように、ガイドは２つの使用段階で構成されている。
【課題を解決するための手段】
【００１７】
２段階の精密ガイドの使用の最初の段階または三脚の本体の固定段階では、固定ガイドと三脚の本体を使用する。外部螺旋ねじ山を有するより細い円筒ステムを有するシンプルな（単純な）円筒ヘッドスクリューにより前者を後者に連結する。また、このスクリューのヘッド（頭）には多面体の空洞があり、適切な器具でスクリューを操作できる。三脚の本体を低高上顎骨に正確に移送して固定する機能を有する固定ガイドは、ステムを有さず、足が多角形であり、その杯状部分は、多面体空洞を含む円筒形である、固体ブロック型カップである。ガイドの足には５つの穴がある。これらの穴のうち３つは傾斜しており、円筒形であり、それらの間で同一であり、それらの中心軸は、ガイドの中心軸と当該物体の上の同じ点で交差する。これらの穴は互いに接触せず、足を完全に横断する。これらの穴の入口の中心は、ガイドの足の上底（上側基部／base superior）にあり、正三角形を描き、これらの穴の出口の中心は、ガイドの足の下底（下側基部／inferior base）にあり、上記のものより大きな正三角形を描く。これらの穴の２つの間に、それらに触れることなく、ガイドの中心軸に平行な第４の円筒形の穴がある。この第４の穴は、この穴の中心軸に垂直な環状の縁によって内側が狭くなり、これにより、より小さな直径の新しい円筒形の穴になり、したがって、ガイドの足の上底（上側基部／upper base）にある第４の穴の入口は、ガイドの足の下底（下側基部／lower base）にある出口よりも幅（又は、径）が大きい。これらの４つの穴は、足のガイドの上底の中心から下に向かって開けられた第５の多面体穴に触れずにそれを取り囲んでいる。この穴は足を完全には貫通しない。この足の上と周りにはガイドの杯がある。これは、上に開いた多面体の空洞を含む円筒形のリングで、足のガイドの上底によって下から区切られている。この説明の後半で説明するように、ユーザーのガイドを導くこのリングの外側に取り付けられた３つのレールがある。これらは固定ガイドの中心軸に平行であり、それぞれ上記の３つの傾斜穴の３つの矢状面の１つに配置されている。
【００１８】
このガイドは三脚の本体を覆い、円筒形のシンプルなヘッドスクリューで固定されている。この本体は、幅広床グラス（又は、幅広床ガラス／wide-floor glass）の形をした固体の円柱状の物体である。
【００１９】
このグラスには、上向きに開いた多面体の空洞があり、円筒形の壁に囲まれ、グラスの円筒形床の床に重ねられている。この空洞は、固定ガイドの足に対応する（嵌合する）。外側では、この壁は滑らかで、この床は粗く、外側に螺旋状のねじ山がある。この床の内側には、グラスの空洞の底部から始まる５つの穿孔で穿孔されており、底部はグラスの床の上底でもある。これらの穿孔の３つは傾斜しており、円筒形であり、それらの間で同一であり、それらの中心軸は、グラスの中心軸と当該物体の上の同じ点で交差する。これらの穿孔は互いに接触しない。グラスの多面体空洞の底部にあるこれらの穿孔の入口の中心は、正三角形を描く。これらの穿孔の出口は、グラスの床の側面または底部にあり、それらの中心も前述の三角形よりも大きいが正三角形を描く。
【００２０】
これらの３つの穿孔は、前記穿孔の中心軸に垂直な環状縁部によって分離された、上部が下部よりも広い２つの円筒状空間から構成され得る。あるいは、狭い下部空間にプロペラねじ山（推進ねじ山／propeller thread）を含めることができる。これらの３つの穿孔は、この説明で後述するように、入口から始まり、互いに接触せず、穿孔の中心軸に平行で、全体を覆わない、三脚の脚のレールをそれらに取り付けるのに役立つ溝を含む滑らかな壁を持つ単一の円筒形の空間で構成することもできる。三脚の本体の３つの傾斜した穿孔のこれら２つの構成は、この機能によってのみ異なる２種類の本体を定義する。これらのグラスの３つの穿孔の入口は、固定ガイドの３つの傾斜した穴の出口と同じ幅を持ち、この２つの要素がくっつけられたときに下向きの連続部として機能する。これは、固定ガイドとグラスがしっかりと結合されたときに、固定ガイドの傾斜穴の入口と出口の中心、および三脚の本体の傾斜した穿孔の入口と出口の中心が、上方から下方にサイズが大きくなる正三角形のオーバーラップ（重ね合わせ）を描くことにより可能になる。
【００２１】
これらのグラスの２つの傾斜した穴の間に、それらに触れることなく、グラスの中心軸に平行で、床を完全に横切らない第４の円筒形の穴がある。このグラスの第４の穿孔は、固定ガイドの第４の穿孔の出口と同じ幅を有し、このガイドがグラスに挿入されたときに下向きの連続部として機能する。グラスの床のこの第４の穿孔は、上記の単一のヘッドスクリューがねじ込まれる内部ねじ山を含む壁を有する。これらの４つの穿孔は、グラスの床の中心に位置し、床を横断せず、内部らせん状ねじ山を有する壁に囲まれている第５の円筒形穿孔に触れずに取り囲む。これは、単一のヘッドスクリューを使用して、正しい歯科補綴物を三脚の本体に取り付けるために使用される。この２段式ガイドの最初の使用段階では、固定ガイドと三脚の本体の両方が完全に接合され、ガイドの足がグラスの空洞に挿入され、固定ガイドの杯の下底がガイドの頂部に載置される。
【００２２】
上記の３本のガイドレールの配置により、ユーザーは三脚の本体がどこに配置されるかを理解できる。ユーザーはそれを、視覚的または外科的副木によって解剖学的な危険領域を回避しつつ、骨に正確に挿入する。第２段階又は三脚の脚の挿入の段階では、適切な器具を使用して三脚の本体を骨に配置したら、固定ガイドを三脚の本体に固定しているスクリューが取り外される。固定ガイドがまだ三脚の本体内にある状態で、ドリルガイドを三脚本体の端で固定ガイドに長い段付きスクリューで固定する。
【００２３】
ドリルガイドは、ドリルガイドが配置される固定ガイドの多面体空洞の正確な（と同じ）多面体形状の多面体スラブ（板部材）である。このスラブには、その下底の中心から下に突き出た多面体のピボットを有する。このピボットは、固定ガイドの第５の多面体穴に対応し、ドリルガイドを固定ガイド内に正確かつ安定して配置するのに役立つ。スラブの上底の上の隅には、ドリルガイドをつかんで動かすのに役立つ種々の形状の（多形の）別の突出したピボットまたはハンドルがある。このドリルガイドには、３つの傾斜した同一の円筒形の穴がある。その中心軸は、ドリルガイドの中心軸と当該オブジェクト上の同じポイントで交差する。これらの穴は互いに接触せず、ドリルガイドを完全に横切る。ドリルガイドの上底にあるこれらの穴の入口の中心は正三角形を描き、ドリルガイドの下底にあるこれらの穴の出口の中心はより大きな正三角形を描く。これらの穴の幅は、固定ガイドの傾斜穴と三脚本体の傾斜穿孔の幅よりも小さくなっている。これらのドリルガイドの３つの傾斜穴の出口は、固定ガイドの３つの傾斜穴の入口の上方の連続部として、したがって、３つの要素が取り付けられたときに、三脚の本体の３つの傾斜穴の入口の連続部として機能する。これは、ドリルガイド、固定ガイド、三脚の本体が密着したときに、ドリルガイドの傾斜穴の入口と出口の中心、固定ガイドの傾斜穴の入口と出口の中心、および三脚の本体の傾斜穿孔の入口と出口の中心が、上から下にサイズが大きくなる正三角形の重ね合わせを描くために可能となる。
【００２４】
ドリルガイドの２つの傾斜穴の間に、それらに触れることなく、ドリルガイドの中心軸に平行でそれを完全に横切る（貫通する）４つ目の円筒形の穴がある。この穴は、穴の中心軸に垂直な環状の縁によって内側が狭くなり、それによりそれはより小さな直径の穴になる。そのため、ドリルガイドの上底にある穴の入口は、このドリルガイドの下底の穴の出口よりも広くなる。この出口も、固定ガイドの第４の穴の入口と同じ幅を有する。ドリルガイドと固定ガイドを三脚の本体と完全に固定するには、長い段付きヘッドのスクリューが必要である。このスクリューは、２つの円筒形のボリューム（部分）が重ね合わされて構成されている。上部のボリュームは幅が広く、下部は外部ねじ山のある円筒形の細いステムである。また、このスクリューのヘッドには多面体の空洞があり、適切な器具でスクリューを操作できる。
【００２５】
このドリルガイドは、骨に触れることなく、三脚の本体の傾斜穴の幅よりも狭い穴を骨に開けることを可能にする。また、ドリルの際に分かった密度と硬度に応じて骨を加工することを可能にするようにドリルガイド（複数）のセットを有することもできる。骨に穴を開けたら、三脚の脚を挿入できるように、ドリルガイドと固定ガイドが取り外される。
【００２６】
三脚の脚には、中央に多面体の空洞がある円柱状の頭部があり、下に円柱状の胴体（トランク）がある。選択した三脚の本体のタイプに応じて、対応する三脚の脚を使用する。したがって、倍幅の傾斜した穿孔がある三脚の本体には、胴部よりも幅の広いヘッドのある脚を挿入し、単一のスペースの傾斜した穿孔と入口付近の溝を持つ三脚の本体には、導体と同じ幅のヘッド、この場合は中心軸に平行なカップリングレールと種々の形状の穿孔を備えたヘッドを持つ三脚の脚を挿入する。これらの穿孔は、これらの脚の中心軸に垂直で、多面体の空洞と接触し、必要に応じて適切な器具でこれらの脚を引っ張ることができる。負荷を適切に分散する完璧な三脚を構成するには、３本の同一の脚を挿入する必要がある。脚がすでに骨の上に配置されていると、必要に応じて、三脚に補綴物を配置して、この三脚をショート歯科インプラントとして使用できる。
【図面の簡単な説明】
【００２７】
詳細な説明は、この詳細な説明を容易に理解するために、三脚本体の固定段階中に使用される本発明の要素が以下のように表される、例示的かつ非限定的な特徴を備えた一連の図面で補足される：
−図１は、使用の第１段階での本発明の使用に必要な２つの別個の要素の側部斜視図を表す。最初のバリエーション（態様）では、上方に固定ガイド（１）と下方に三脚の本体（２Ａ）が示されている。ガイド（１）の上には、単純な円筒形のヘッド（４）と外部スクリューねじ山が付いたステム（５）を有するスクリュー（３）がある。この配置では、３本のガイドレール（７Ａ、７Ｂ、７Ｃ）と固定ガイド（１）の多面体空洞（８）を備えた固定ガイド（１）の杯部（６）を見ることができる。下には、三脚の本体（２Ａ）の円筒形の壁（９Ａ）と円筒形の床（１０Ａ）がある。また、固定ガイド（１）の多面体の脚（１１）と三脚の本体（２Ａ）の多面体の空洞（１２Ａ）も確認できる。
−図２は、本発明をその第１段階で使用するのに必要な２つの別個の要素の斜視矢視切断の側面図を表す。ここでは、２つのバリエーションの最初のものにおいて、上方に固定ガイド（１）と下方の三脚の本体（２Ａ）が見える。固定ガイド（１）の上には、単純な円筒形のヘッド（４）と外部雄ねじが付いたステム（５）を有するスクリュー（３）がある。この配置により、固定ガイド（１）の杯部（６）、案内レール（７Ａ）の矢状部分、案内レール（７Ｂ）、および固定ガイド（１）の多面体空洞（８）を確認できる。その下に、そのひとつのバリエーションにおける三脚の本体（２Ａ）の円筒形の壁（９Ａ）と床（１０Ａ）がある。また、そのひとつのバリエーションにおける固定ガイド（１）の多面体の脚（１１）と三脚の本体（２Ａ）の多面体の空洞（１２Ａ）が見える。ここでは、固定ガイド（１）のより詳細な４つの穴、すなわち、矢状断面における傾斜した穴（１３Ａ）、別の傾斜穴（１３Ｂ）の入口、環状の縁（１５）を持つ第４の穴（１４）、及び、第５の多面体の穴（１６）が見える。また、スクリュー（３）の多面体空洞（１７）も確認できる。また、そのバリエーションの１つにおける三脚の本体（２Ａ）の４つの穿孔、すなわち、広い上部（１９Ａ）とプロペラねじ山を有する狭い下部（１９Ｂ）で表される傾斜した穿孔（１８ＡＡ）（両者は、環状の縁（２０）で分離されている。）、別の傾斜した穿孔（１８ＢＡ）の入口、プロペラねじ山を有するその第４の穿孔（２１Ａ）、およびプロペラねじ山を有する第５の穿孔（２２Ａ）が見える。
−図３は、三脚の本体の第２変形形態または代替の本体（２Ｂ）の矢状切断側面斜視図であり、壁上に溝（２４）のある単一のスペース（２３）の傾斜した穿孔（１８ＡＢ）とともに表されている。また、三脚の代替本体（２Ｂ）の多面体空洞（１２Ｂ）、円筒壁（９Ｂ）、および床（１０Ｂ）も確認できる。また、プロペラねじ山を有する第４の穿孔（２１Ｂ）とプロペラねじ山を有する第５の穿孔（２２Ｂ）も確認できる。
−図４は、固定ガイド（１）の３つのガイドレール（７Ａ、７Ｂ、７Ｃ）と多面体空洞（８）を持つ固定ガイド（１）の杯部（６）が見える固定ガイド（１）の上面図である。固定ガイド（１）の３つの傾斜穴（１３Ａ、１３Ｂ、１３Ｃ）、環状の縁（１５）を持つ第４の穴（１４）、第５の多面体穴（１６）の入口が見える。
−図５は、三脚の本体（２Ａ）の第１のバリエーションの上面図であり、円筒形の壁（９Ａ）と多面体の空洞（１２Ａ）が見える。また、三脚の本体（２Ａ）の１つのバリエーションの３つの傾斜した穿孔（１８ＡＡ、１８ＢＡ、および１８ＣＡ）、第４の穿孔（２１Ａ）及び円筒形の第５の穿孔（２２Ａ）の入口が見える。
−図６は、ドリルガイド（２５）の側面斜視図であり、このガイド（２５）のハンドル（２６）とその４つの穴の４つの入口、すなわち、３つの傾斜穴（２７ａ、２７ｂおよび２７ｃ）の３つの入口、およびその第４の穴（２８）の入口が見える。また、このドリルガイド（２５）の下底の突出した多面体ピボット（２９）を確認できる。
−図７は、ドリルガイド（２５）の上面図で、ハンドル（２６）と４つの穴の４つの入口、すなわち、３つの傾斜穴（２７ａ、２７ｂ、２７ｃ）の３つの入口、および環状の縁（３０）を備えた第４の穴（２８）の入口が見える。
−図８は、長い段付きヘッド（３２）のスクリュー（３１）とそのステム（３３）の側面斜視図である。また、スクリュー（３１）の多面体キャビティ（３４）も見える。
−図９は、対応するスクリュー（３１）とともに、使用の第２段階での本発明の使用に必要な３つの別個の要素、すなわち、固定ガイド（１）、三脚の本体の第１の変形例（２Ａ）及びドリルガイド（２５）の矢視断面の側方斜視図を示す。ここでは、ドリルガイド（２５）の上に、ハンドル（２６）、傾斜穴（２７ａ）、傾斜穴（２７ｂ）の入口、環状の縁（３０）を有する第４の穴（２８）が見える。また、このドリルガイド（２５）の下底の突出した多面体ピボット（２９）が見える。ドリルガイド（２５）の上には、多面体キャビティ（３４）を備えた長い段付きヘッド（３２）スクリュー（３１）とそのステム（３３）が見える。
−図１０は、中央に多面体キャビティ（３７）を備えた円筒形ヘッド（３６）と滑らかなまたは粗いトランク（胴部）（３８）を備えた三脚の可能な脚（３５）の側面斜視図を示す。ヘッド（３６）のカップリングレール（３９）（ここでは２つ）、およびヘッド（３６）の多形のピアス（孔／piercing）（４０）が見える。
−図１１は、ここでは、中央に多面体の空洞（４３）を有する円筒形のヘッド（４２）と、外側螺旋状ネジ山を有する細いトランク（４４）を有する三脚の他の可能な脚（４１）の側面斜視図を示す。
−図１２は、２つの要素、すなわち、その変形形態の１つにおける三脚の本体（２Ａ）を固定するためのガイド（１）、およびドリルガイド（２５）を備えたショート歯科インプラント機能を備えた三脚を固定するための２段階精密ガイド（４５）を示す。
【発明を実施するための形態】
【００２８】
すでに示したように、また図１からわかるように、使用の第１の段階では、本発明の目的である下顎骨のショート歯科インプラント機能を備えた三脚を固定するための２段階精密ガイド（４５）は、その好ましい実施形態では、上方の三脚の固定ガイド（１）と下方の三脚の本体（２Ａ）を有し、その２つの実施形態の１つでは、これらは、単純な円筒形ヘッド（４）のスクリュー（３）と外部ネジ山を有するステム（５）によって結合されている。より詳細には、３本のガイドレール（７Ａ、７Ｂ、７Ｃ）を備えた固定ガイド（１）の杯部（６）と、固定ガイド（１）の多面体空洞（８）が見える。下方には、その１つの実施形態における三脚の本体（２Ａ）の円筒形の壁（９Ａ）と円筒形の床（１０Ａ）が見える。また、第１の実施形態における固定ガイド（１）の多面体の脚（１１）と三脚の本体（２Ａ）の多面体の空洞（１２Ａ）が見える。図２では、矢状切断された図１と同じオブジェクトが示されており、その第１の実施形態における固定ガイド（１）と三脚の本体（２Ａ）のいくつかの穴、すなわち、矢状切断面での固定ガイドの傾斜穴（１３Ａ）、別の傾斜穴（１３Ｂ）の入口、環状の縁（１５）を備えた第４の穴（１４）、および第５の多面体穴（１６）を詳細に理解することができる。また、スクリュー（３）の多面体空洞（１７）も見える。また、第１の実施形態の三脚の本体（２Ａ）の４つの穿孔、すなわち、環状の縁（２０）で区切られた幅の広い上部（１９Ａ）と螺旋状のねじ山のある狭い下部（１９Ｂ）を有する傾斜穿孔（１８ＡＡ）、別の傾斜穴（１８ＢＡ）の入口、プロペラねじ山を有する第４の穴（２１Ａ）、プロペラねじ山を有する第５の穴（２２Ａ）も見える。図３では、第２の実施形態における三脚の本体（２Ｂ）または代替の本体の矢状切断面が、単一の空間（２３）と壁のトレンチ（２４）を有する傾斜穿孔とともに示されている。また、代替三脚の本体（２Ｂ）の多面体の空洞（１２Ｂ）、円筒形の壁（９Ｂ）、および床（１０Ｂ）も示されている。また、プロペラねじ山を有する第４の穿孔（２１Ｂ）とプロペラねじ山を有する第５の穿孔（２２Ｂ）も示されている。図４では、固定ガイド（１）の上面図が示されており、これにより、このガイドの外形とともに、その萼部（杯部／calyx）（６）、４つの案内レール（７Ａ、７Ｂ、７Ｃ）、多面体空洞（８）、３つの傾斜穴（１３Ａ、１３Ｂ、１３Ｃ）の入口、環状の縁（１５）を持つ第４の穴（１４）、第５の多面体穴（１６）を確認できる。図５では、第１の実施形態の三脚の本体（２Ａ）の上面図が示されており、これにより、その外形とともに、円筒形の壁（９Ａ）、多面体の空洞（１２Ａ）、３つの傾斜穿孔（１８ＡＡ、１８ＢＡ、１８ＣＡ）の入口、第４の穿孔（２１Ａ）、第５の穿孔（２２Ａ）を見ることができる。第２の使用段階では、図６において、本発明の目的である低高上顎骨へのショート歯科インプラント機能を備えた三脚を固定するための精密２段式ガイド（４５）は、その好ましい実施形態において、ハンドル（２６）を有するドリルガイド（２５）、４つの穴の４つの入口、すなわち、３つの傾斜穴（２７Ａ、２７Ｂ、２７Ｃ）の３つの入口と第４の穴（２８）の入口を有する。また、下底から���出する多面体ピボット（２９）も示されている。図７には、ドリルガイド（２５）の上面図が示されており、ハンドル（２６）とその４つの穴の４つの入口、すなわち、３つの傾斜穴（２７Ａ、２７Ｂ、２７Ｃ）の３つの入口とその環状の縁（３０）を有する第四の穴（２８）の入口が示されている。図８には、長い段付きヘッド（３２）のスクリュー（３１）、多面体の空洞（３４）、およびステム（３３）が示されている。図９には、本発明の第２使用段階に必要な３つの別個の要素、すなわち、固定ガイド（１）、第１の実施形態の三脚の本体（２Ａ）、およびドリルガイド（２５）が対応するスクリュー（３１）とともに詳細に示されている。ここでは、ドリルガイド（２５）の上に、ハンドル（２６）、傾斜穴（２７Ａ）、傾斜穴（２７Ｂ）の入口、環状の縁（３０）を備えた第４の穴（２８）が見える。また、このドリルガイド（２５）の下底の突出多面体ピボット（２９）が見える。ドリルガイド（２５）の上には、多面体空洞（３４）とステム（３３）を備えた長い段付きヘッド（３２）のスクリュー（３１）が見える。図１０では、その中央に多面体の空洞（３７）を備えた円筒形のヘッド（３６）と滑らかなまたは粗いトランク（３８）を備えた三脚の脚（３５）の一例が示されている。ヘッド（３６）のカップリングレール（３９）（ここでは２つ）、およびヘッド（３６）の多形のピアス（４０）が見える。図１１では、央に多面体の穿孔（４３）を有する円筒形のヘッド（４２）、外部スクリューねじを有する胴部（４４）を有する三脚の脚（４１）の他の例が示される。図１２には、固定ガイド（１）及び第１の実施形態における三脚の本体（２Ａ）に固定されたドリルガイド（２５）の２つの要素で歯科ショートインプラント機能を備えた三脚を固定するための２段式精密ガイド（４５）が見える。
【図１】
2020505146.tif 000003
【図２】
2020505146.tif 000004
【図３】
2020505146.tif 000005
【図４】
2020505146.tif 000006
【図５】
2020505146.tif 000007
【図６】
2020505146.tif 000008
【図７】
2020505146.tif 000009
【図８】
2020505146.tif 000010
【図９】
2020505146.tif 000011
【図１０】
2020505146.tif 000012
【図１１】
2020505146.tif 000013
【図１２】
2020505146.tif 000014
【国際調査報告】
2020505146.tif 000015
2020505146.tif 000016
2020505146.tif 000017
2020505146.tif 000018
2020505146.tif 000019
2020505146.tif 000020
2020505146.tif 000021
2020505146.tif 000022